(57)【要約】【課題】間隔をあけて配設される２個の建材を間隔の方向と直交する厚さ方向に不動状態にして連結できて、この連結作業を容易に行える建材の連結具、その連結構造及びその連結方法を提供すること。【解決手段】間隔をあけて配設される建材となっているドア枠２と壁４の下地部材８及び補強部材７とを連結する連結具２０は、一方の建材に間隔の方向と直交する厚さ方向が長さ方向となって配置された被係止部材２１に対し厚さ方向に移動可能かつ係止可能となっている係止部が一方の建材側の端部に設けられ、他方の建材に結合具であるドリルねじ３０でこの他方の建材に対し厚さ方向に移動して結合される結合部が他方の建材側の端部に設けられた連結部２２を備えており、結合部がドリルねじ３０で他方の建材に結合されることで、係止部が被係止部材２１に対し厚さ方向の成分を有する方向に移動して、被係止部材にこの係止部が係止する。【選択図】図５
2019070285.tif 000002
【特許請求の範囲】
【請求項１】
間隔をあけて配設される２個の建材を連結するための建材の連結具であって、
前記２個の建材のうち、一方の建材に前記間隔の方向と直交する厚さ方向が長さ方向となって配置されている被係止部材に対し前記厚さ方向に移動可能かつ係止可能となっている係止部が、前記一方の建材側の端部に設けられているとともに、前記２個の建材のうち、他方の建材に結合具によりこの他方の建材に対し前記厚さ方向に移動して結合される結合部が、前記他方の建材側の端部に設けられている連結部を備えており、この連結部の前記結合部が前記結合具によって前記他方の建材に結合されることにより、前記連結部の前記係止部が前記被係止部材に対し前記厚さ方向の成分を有する方向に移動することでこの被係止部材に前記係止部が係止可能となっており、この係止により前記２個の建材を連結することを特徴とする建材の連結具。
【請求項２】
請求項１に記載の建材の連結具において、前記連結部の前記係止部が前記被係止部材に対し前記厚さ方向の成分を有する方向に移動することでこの被係止部材に前記係止部が係止可能となっていることは、前記連結部の前記係止部が前記被係止部材に対し斜めに移動することでこの被係止部材に前記係止部が角度をなして係止可能となっていることであることを特徴とする建材の連結具。
【請求項３】
請求項１又は２に記載の建材の連結具において、前記連結部の前記係止部が前記被係止部材に対し移動する方向は、前記結合部が前記結合具により前記他方の建材に対し移動する方向とは前記厚さ方向における反対側の方向となっていることを特徴とする建材の連結具。
【請求項４】
請求項３に記載の建材の連結具において、前記連結部は、前記厚さ方向に複数個設けられていることを特徴とする建材の連結具。
【請求項５】
請求項４に記載の建材の連結具において、前記連結部の個数は２個であり、これらの連結部の間は、前記２個の連結部に架け渡された架け渡し部となっていることを特徴とする建材の連結具。
【請求項６】
請求項５に記載の建材の連結具において、前記架け渡し部はプレート状となっており、前記２個の連結部の間において、前記架け渡し部に、前記２個の建材の間隔の方向が切り込み方向となっている切り込み部が設けられていることを特徴とする建材の連結具。
【請求項７】
請求項６に記載の建材の連結具において、前記切り込み部の個数は２個であり、これらの切り込み部は前記架け渡し部における前記２個の建材側の両端部から切り込まれていて、前記２個の切り込み部の間は、前記架け渡し部における前記２個の連結部を接続するための接続部となっていることを特徴とする建材の連結具。
【請求項８】
請求項１〜７のいずれかに記載の建材の連結具において、前記被係止部材は、前記厚さ方向の長さ寸法を有する細長部材であり、前記係止部は、前記細長部材を内部に挿通する挿通部であることを特徴とする建材の連結具。
【請求項９】
請求項８に記載の建材の連結具において、前記細長部材の表面に、前記挿通部の内周面角部を係止させるための凹凸部が形成されていることを特徴とする建材の連結具。
【請求項１０】
間隔をあけて配設される２個の建材を、これらの建材の間に配置された連結具により連結するための建材の連結構造であって、
前記連結具は、前記２個の建材のうち、一方の建材側の端部に設けられていて、この一方の建材に前記間隔の方向と直交する厚さ方向が長さ方向となって配置されている被係止部材に対し前記厚さ方向に移動可能かつ係止可能となっている係止部と、前記２個の建材のうち、他方の建材側の端部に設けられていて、この他方の建材に結合具により結合される結合部とを有する連結部を備えており、この連結部の前記結合部が前記結合具により前記他方の建材に対し前記厚さ方向に移動してこの他方の建材に結合されるときに、前記連結部の前記係止部が前記被係止部材に対し前記厚さ方向の成分を有する方向に移動することでこの被係止部材に係止し、この係止により前記２個の建材が前記連結具により連結されることを特徴とする建材の連結構造。
【請求項１１】
請求項１０に記載の建材の連結構造であって、前記連結具は、前記間隔の方向と前記厚さ方向との両方と直交する方向に複数個配置されており、それぞれが前記２個の建材を連結しているこれらの連結具には、前記間隔の方向に対し傾斜している方向が互いに逆となっている連結具が含まれていることを特徴とする建材の連結構造。
【請求項１２】
間隔をあけて配設される２個の建材を連結具により連結するための建材の連結方法であって、
前記２個の建材の間に、これらの建材のうち、一方の建材に前記間隔の方向と直交する厚さ方向が長さ方向となって配置されている被係止部材に対し前記厚さ方向に移動可能かつ係止可能となっている係止部が前記一方の建材側の端部に設けられているとともに、前記２個の建材のうち、他方の建材に結合具によりこの他方の建材に対し前記厚さ方向に移動して結合される結合部が前記他方の建材側の端部に設けられている連結部を備えた前記連結具を配置するための作業と、
前記連結部の前記結合部を前記結合具により前記他方の建材に対し前記厚さ方向に移動させてこの他方の建材に結合することにより、前記連結部の前記係止部を前記被係止部材に対し前記厚さ方向の成分を有する方向に移動させることでこの被係止部材に係止し、この係止により前記２個の建材を前記連結具によって連結するための作業と、
を含んでいることを特徴とする建材の連結方法。
【請求項１３】
請求項１２に記載の建材の連結方法において、前記２個の建材の間に前記連結具を配置するための前記作業を行うときには、前記連結具は、前記係止部が前記被係止部材に対し前記厚さ方向に移動可能となって配置されていることにより、前記一方の建材に取り付けられていることを特徴とする建材の連結方法。
【発明の詳細な説明】
【技術分野】
【０００１】
本発明は、間隔をあけて配設される２個の建材を連結するための建材の連結具、その連結構造及びその連結方法に係り、例えば、開き戸装置や引き戸装置等の装置側建材となっているドア枠等の開口枠を躯体に配置する際に、この開口枠と躯体側建材を連結するために用いることができるものである。
【背景技術】
【０００２】
下記の特許文献１には、建物等の躯体である壁に形成された開口部の内側に、内部が開き戸で開閉される出入口となっているドア枠が開口枠として配置されることが示されている。
【先行技術文献】
【特許文献】
【０００３】
【特許文献１】特開２０１５−７１８６３号公報
【発明の概要】
【発明が解決しようとする課題】
【０００４】
壁に形成された開口部の内側にドア枠等の開口枠を配置する作業は、壁側に設けられた躯体側建材と開口枠とを連結することによって行われ、この連結作業は開口枠を躯体側建材に対して不動状態とするための作業であり、この作業により、開口枠を躯体側建材に対して、躯体側建材と開口枠との間の間隔の方向である左右方向と直交する厚さ方向に不動状態にすることが求められる。
【０００５】
本発明の目的は、間隔をあけて配設される２個の建材を間隔の方向と直交する厚さ方向に不動状態にして連結できるとともに、この連結作業を容易に行えるようになる建材の連結具、その連結構造及びその連結方法を提供するところにある。
【課題を解決するための手段】
【０００６】
本発明に係る建材の連結具は、間隔をあけて配設される２個の建材を連結するための建材の連結具であって、前記２個の建材のうち、一方の建材に前記間隔の方向と直交する厚さ方向が長さ方向となって配置されている被係止部材に対し前記厚さ方向に移動可能かつ係止可能となっている係止部が、前記一方の建材側の端部に設けられているとともに、前記２個の建材のうち、他方の建材に結合具によりこの他方の建材に対し前記厚さ方向に移動して結合される結合部が、前記他方の建材側の端部に設けられている連結部を備えており、この連結部の前記結合部が前記結合具によって前記他方の建材に結合されることにより、前記連結部の前記係止部が前記被係止部材に対し前記厚さ方向の成分を有する方向に移動することでこの被係止部材に前記係止部が係止可能となっており、この係止により前記２個の建材を連結することを特徴とするものである。
【０００７】
この連結具によると、２個の建材のうち、他方の建材に結合具によりこの他方の建材に対し厚さ方向に移動して結合される結合部が結合具によって他方の建材に結合されると、係止部が一方の建材に設けられている被係止部材に対し厚さ方向の成分を有する方向に移動することにより、この係止部が被係止部に係止し、この係止により２個の建材が連結具により連結されるため、間隔をあけて配設される２個の建材同士を間隔の方向と直交する厚さ方向に不動状態にして連結できることになる。また、この連結作業を、連結具の連結部に設けられている結合部を他方の建材に結合具で結合することによって自ずと実施できることになり、また、溶接のための火気を用いることなく行えるため、作業を容易に行える。
【０００８】
この連結具において、上述のように係止部が被係止部材に対し厚さ方向の成分を有する方向に移動することでこの被係止部材に係止部が係止可能となっていることは、係止部が被係止部材に対し厚さ方向と平行する方向に移動することでこの被係止部材に係止部が係止可能となっていることでもよく、あるいは、係止部が被係止部材に対し斜めに移動することでこの被係止部材に係止部が角度をなして係止可能となっていることでもよい。
【０００９】
後者によると、被係止部材に係止部が係止するときには、被係止部材に対し係止部が角度をなしているため、被係止部材に対する係止部の係止を一層確実のものにできる。
【００１０】
また、係止部が被係止部材に対し移動する方向は、結合部が結合具により他方の建材に対し移動する方向と厚さ方向における同じ方向でもよく、あるいは、結合部が結合具により他方の建材に対し移動する方向とは厚さ方向における反対側の方向でもよい。
【００１１】
また、本発明に係る連結具において、連結部の前記厚さ方向における個数は、１個でもよく、あるいは、複数個でもよい。
【００１２】
さらに、連結部の前記厚さ方向における個数を２個とする場合には、これらの連結部の間を２個の連結部に架け渡された架け渡し部としてもよい。
【００１３】
このように連結部の前記厚さ方向における個数を２個とし、これらの連結部の間を２個の連結部に架け渡された架け渡し部とする場合には、この架け渡し部をプレート状とするとともに、２個の連結部の間において、架け渡し部に、２個の建材の間隔の方向が切り込み方向となっている切り込み部を設けてもよい。
【００１４】
これによると、それぞれの連結部の結合部を結合具により厚さ方向における互いに反対側の方向に移動させて他方の建材に結合すると、それぞれの係止部は、切り込み部の作用により、被係止部材に対し厚さ方向における互いに反対側の方向への移動であって、結合具により結合部が他方の建材に対し移動する方向とも反対側の方向への移動を行うことになり、そして、これらの係止部は被係止部材に係止することになるため、２個の建材を連結具により連結することができる。
【００１５】
なお、切り込み部は、架け渡し部における２個の建材側の両端部のうち、一方の端部から切り込まれた１個としてもよく、あるいは、切り込み部の個数を２個とし、これらの切り込み部を、架け渡し部における２個の建材側の両端部から切り込まれていて、２個の切り込み部の間を、架け渡し部における２個の連結部を接続するための接続部としてもよい。
【００１６】
後者によると、それぞれの連結部の結合部を結合具により他方の建材に対し厚さ方向における互いに反対側の方向に移動させて他方の建材に結合する際に、それぞれの係止部に、２個の切り込み部の作用により、被係止部材に対し厚さ方向における互いに反対側の方向への移動であって、結合具により結合部が他方の建材に対し移動する方向とも反対側の方向への移動を一層確実に行わせることができ、このため、これらの係止部を一層確実に被係止部材に係止させて、２個の建材を連結具により連結できるようになる。
【００１７】
以上の説明した本発明の連結具において、一方の建材に設けられる被係止部材は、例えば、前記厚さ方向の長さ寸法を有する細長部材としてもよく、そして、このように被係止部材を細長部材とする場合には、連結具における一方の建材側の端部に設けられる係止部を、細長部材を内部に挿通する挿通部としてもよい。
【００１８】
また、このように一方の建材に設けられる被係止部材を前記厚さ方向の長さ寸法を有する細長部材とし、連結具における一方の建材側の端部に設けられる係止部を、細長部材を内部に挿通する挿通部とする場合には、細長部材の表面に挿通部の内周面角部を係止させるための凹凸部を形成することが好ましい。
【００１９】
これによると、細長部材に表面に形成された凹凸部により、係止部となっている挿通部の内周面角部を細長部材に一層確実に係止させることができるため、本発明に係る連結具により、間隔をあけて配設される２個の建材を間隔の方向と直交する厚さ方向に一層確実に不動状態にして連結できることになる。
【００２０】
なお、被係止部材を細長部材とし、この細長部材の表面に凹凸部を設けることは、被係止部材を、例えば、表面に雄ねじが刻設されたボルト軸としたり、表面にローレット加工を施したピン等としたりすることにより実現でき、また、連結部に設ける係止部を細長部材が内部に挿通される挿通部とすることは、この係止部を孔とすることや、切欠き部等とすることにより実現できる。
【００２１】
また、被係止部材は板状のものでもよく、さらに、係止部は、この板状の被係止部材に対し前記厚さ方向に移動可能かつ係止可能となっているものであれば、例えば、溝状のものでもよい。さらに、連結具よりも被係止部材の硬度を小さくすることにより、連結具の係止部が被係止部材に一層確実に係止するようにしてもよい。
【００２２】
本発明に係る建材の連結構造は、間隔をあけて配設される２個の建材を、これらの建材の間に配置された連結具により連結するための建材の連結構造であって、前記連結具は、前記２個の建材のうち、一方の建材側の端部に設けられていて、この一方の建材に前記間隔の方向と直交する厚さ方向が長さ方向となって配置されている被係止部材に対し前記厚さ方向に移動可能かつ係止可能となっている係止部と、前記２個の建材のうち、他方の建材側の端部に設けられていて、この他方の建材に結合具により結合される結合部とを有する連結部を備えており、この連結部の前記結合部が前記結合具により前記他方の建材に対し前記厚さ方向に移動してこの他方の建材に結合されるときに、前記連結部の前記係止部が前記被係止部材に対し前記厚さ方向の成分を有する方向に移動することでこの被係止部材に係止し、この係止により前記２個の建材が前記連結具により連結されることを特徴とするものである。
【００２３】
この連結構造でも、２個の建材のうち、他方の建材に結合具によりこの他方の建材に対し厚さ方向に移動して結合される連結具の結合部が結合具によって他方の建材に結合されると、連結部の係止部が、一方の建材に設けられている被係止部材に対し厚さ方向の成分を有する方向に移動することにより、この係止部が被係止部に係止することになり、この係止により２個の建材が連結具により連結されるため、間隔をあけて配設される２個の建材を間隔の方向と直交する厚さ方向に不動状態にして連結できることになる。また、この連結作業を、連結具の連結部に設けられている結合部を他方の建材に結合具で結合することにより自ずと実施することができて、溶接の火気を用いることなく行えるため、作業を容易に行える。
【００２４】
この連結構造において、連結具を、２個の建材の間隔の方向と前記厚さ方向との両方と直交する方向に複数個配置し、それぞれが２個の建材を連結しているこれらの連結具に、間隔の方向に対し傾斜している方向が互いに逆となっている連結具を含ませることが好ましい。
【００２５】
これによると、２個の建材の間隔の方向に対し傾斜している方向が互いに逆となっている複数個の連結具により、２個の建材の間隔の方向と前記厚さ方向との両方と直交する方向についても、２個の建材を不動状態にして連結できることになる。
【００２６】
本発明に係る建材の連結方法は、間隔をあけて配設される２個の建材を連結具により連結するための建材の連結方法であって、前記２個の建材の間に、これらの建材のうち、一方の建材に前記間隔の方向と直交する厚さ方向が長さ方向となって配置されている被係止部材に対し前記厚さ方向に移動可能かつ係止可能となっている係止部が前記一方の建材側の端部に設けられているとともに、前記２個の建材のうち、他方の建材に結合具によりこの他方の建材に対し前記厚さ方向に移動して結合される結合部が前記他方の建材側の端部に設けられている連結部を備えた前記連結具を配置するための作業と、前記連結部の前記結合部を前記結合具により前記他方の建材に対し前記厚さ方向に移動させてこの他方の建材に結合することにより、前記連結部の前記係止部を前記被係止部材に対し前記厚さ方向の成分を有する方向に移動させることでこの被係止部材に係止し、この係止により前記２個の建材を前記連結具によって連結するための作業と、を含んでいることを特徴とするものである。
【００２７】
この連結方法でも、２個の建材のうち、他方の建材に結合具によりこの他方の建材に対し厚さ方向に移動して結合される連結具の結合部が結合具によって他方の建材に結合されると、連結部の係止部が、一方の建材に設けられている被係止部材に対し厚さ方向の成分を有する方向に移動することにより、この係止部が被係止部に係止することになり、この係止により２個の建材が連結具により連結されるため、間隔をあけて配設される２個の建材を間隔の方向と直交する厚さ方向に不動状態にして連結できることになる。また、この連結作業を、連結具の連結部に設けられている結合部を他方の建材に結合具で結合することにより自ずと実施することができて、溶接の火気を用いることなく行えるため、作業を容易に行える。
【００２８】
この連結方法において、２個の建材の間に連結具を配置するための前記作業を行うときには、係止部を前記一方の建材に設けられている被係止部材に対し前記厚さ方向に移動可能にして配置しておくことにより、この係止部を備えている連結具を前記一方の建材に予め取り付けておくことが好ましい。
【００２９】
これによると、２個の建材の間に連結具を配置した後に、係止部を前記一方の建材に設けられている被係止部材に対し前記厚さ方向に移動可能に配置する作業を狭い空間となっている２個の建材の間で行うことが不要になり、この作業を大きな作業空間を確保できる工場等で行えるため、この点でも作業の容易化を実現できることになる。
【００３０】
以上説明した本発明に係る建材の連結具、その連結構造及びその連結方法により連結される２個の建材は、任意の建材でよく、これらの建材の一例は、壁等の躯体側の建材と、この建材と左右方向に対向して配置される開口枠とであり、この開口枠は、開き戸装置のためのドア枠でもよく、引き戸装置のための開口枠でもよく、壁に形成される通行用開口部のための開口枠等でもよい。また、本発明に係る建材の連結具、その連結構造及びその連結方法は、建物の中間柱を含む柱や、梁、横桟、面材等の２個の建材を連結するためにも用いることができ、適用する建材は任意である。
【００３１】
また、本発明に係る建材の連結具、その連結構造及びその連結方法は、建物等の構造物に新設される建材に適用できるとともに、改修される建材にも適用することができる。
【発明の効果】
【００３２】
本発明によると、間隔をあけて配設される２個の建材を間隔の方向と直交する厚さ方向に不動状態にして連結できて、この連結作業を容易に行えるという効果を得られる。
【図面の簡単な説明】
【００３３】
【図１】図１は、本発明の一実施形態に係る建材の連結具、その連結構造及び連結方法が適用されている開き戸装置の全体正面図である。
【図２】図２は、開き戸装置側の建材となっているドア枠を示す正面図である。
【図３】図３は、ドア枠と、躯体側の建材となっている補強部材とを連結具により連結している連結構造を示す全体正面図である。
【図４】図４は、図３の一部拡大正面図である。
【図５】図５は、図４のＳ５−Ｓ５線断面図である。
【図６】図６は、連結具を示す図であって、（Ａ）は、正面図、（Ｂ）は、平面図で、（Ｃ）は、連結具が切り込み部により弾性変形可能となっていることを示す平面図である。
【図７】図７は、連結具の結合部を結合具であるドリルねじにより躯体側の建材となっている補強部材に結合するときを示す図５と同様の図である。
【図８】図８は、連結具の係止部であって挿通部ともなっている孔の内周面角部が被係止部材の表面の凹凸部に係止している状態を示す平断面図
【図９】図９は、連結具の別実施形態を示す図４と同様の図である。
【発明を実施するための形態】
【００３４】
以下に本発明を実施するための形態を図面に基づいて説明する。図１には、開き戸装置の全体正面図が示され、この開き戸装置は、開き戸１がドア枠２にヒンジ３を中心に回動自在に取り付けられたものであり、ドア枠２は、建物躯体である壁４に形成された開口部４Ａの内側に配置されている。図２には、開き戸１が取り付けられる以前のドア枠２が示されている。この図２に示されているように、ドア枠２は、内部が開き戸１により開閉される出入口１１となっている開口枠であり、本実施形態のドア枠２は四方枠となっているため、このドア枠２は、左右の側枠部材２Ａ，２Ｂと、上枠部材２Ｃと、沓摺部材である下枠部材２Ｄとからなり、これらの枠部材２Ａ，２Ｂ，２Ｃ，２Ｄは予め工場で溶接接合されて、開き装置が設置される建物等の構築物の建築現場に搬送されている。
【００３５】
なお、ドア枠２は、下枠部材２Ｄが存在しない三方枠でもよい。
【００３６】
図３には、図１及び図２で示されている壁４へのドア枠２の配置状態が示されており、図４は、図３の一部拡大図であり、図５は、図４のＳ５−Ｓ５線断面図である。図１及び図２で示されている壁４は、図５に示されているように、芯部材５の表裏両面に石膏ボード等の面材６を止着することにより形成され、建物躯体となっているこの壁４に設けられた図１及び図２の開口部４Ａの内側にドア枠２が配置されている。図３には、壁４の内部に多数設けられている芯部材５のうち、ドア枠２の左右の側枠部材２Ａ，２Ｂと左右方向に対向する箇所において、縦方向が長さ方向となって配置されている芯部材５Ａ，５Ｂと、ドア枠２の上枠部材２Ｃと上下方向に対向する箇所において、左右方向が長さ方向となって配置されている芯部材５Ｃとが示されている。
【００３７】
壁４の開口部４Ａの内側にドア枠２を配置する作業を行う以前において、芯部材５Ａ，５Ｂ，５Ｃには、図３〜図５で示す補強部材７が予め結合されており、また、これらの補強部材７ごとに下地部材８が図４及び図５の止着具９により取り付けられており、この下地部材８は、芯部材５Ａ，５Ｂ，５Ｃに結合されたそれぞれの補強部材７について、補強部材７の長さ方向の間隔をあけて複数個設けられている。それぞれの下地部材８には、下地部材８の長さ方向両端部において位置決め部材１０が結合されており、これらの位置決め部材１０を、補強部材７におけるドア枠２の厚さ方向（開き戸１及び壁４の厚さ方向）両側の面のうち、一方の面に当接させた後に、下地部材８を補強部材７に止着具９で取り付けているため、それぞれの下地部材８は、補強部材７にドア枠２の厚さ方向における所定位置に位置決めされて取り付けられている。
【００３８】
以上において、芯部材５、補強部材７及び下地部材８は、建物躯体となっている壁４側の部材となっているため、これらの芯部材５、補強部材７及び下地部材８は、躯体側建材である。これに対して開き戸１及びドア枠２は、壁４に設置される開き戸装置側の部材であるため、これらの開き戸１及びドア枠２は、開き戸装置側建材となっている。
【００３９】
図３には、壁４の開口部４Ａの内側にドア枠２を配置する作業を行った後に、ドア枠２を連結具２０により補強部材７に下地部材８を介して連結している状態が示されている。この連結具２０は、ドア枠２の左右の側枠部材２Ａ，２Ｂと上枠部材２Ｃのそれぞれについて、下地部材８と対応して複数個設けられており、それぞれの連結具２０は同一形状及び同一構造のものとなっているため、図４及び図５には、図３で示されている連結具２０Ａ〜２０Ｊのうち、ドア枠２の側枠部材２Ａに設けられていて、この側枠部材２Ａと、前述の芯部材５Ａに結合されている補強部材７とを連結している連結具２０Ｃが代表例として示されている。
【００４０】
それぞれの連結具２０Ａ〜２０Ｊは、図５から分かるように、ドア枠２の側枠部材２Ａ，２Ｂ、上枠部材２Ｃに結合された支持部材１２で長さ方向両端部が固定支持されているピン状の被係止部材２１が、連結具２０Ａ〜２０Ｊにおけるドア枠２側の端部に挿通されることにより、ドア枠２に取り付けられているものであり、この取り付けは予め工場で行われており、それぞれの連結具２０Ａ〜２０Ｊにおける補強部材７側の端部は、開き戸装置の施工設置現場において、結合具であるドリルねじ３０により下地部材８に結合され、これにより、開き戸装置側の建材となっているドア枠２と、躯体側建材となっている下地部材８及び補強部材７は、連結具２０Ａ〜２０Ｊにより連結されている。
【００４１】
なお、ピン状の被係止部材２１の長さ方向は、ドア枠２と下地部材８及び補強部材７との間隔の方向である左右方向と直交しているドア枠２及び壁４の厚さ方向である。
【００４２】
図６（Ａ）（Ｂ）には、連結具２０の正面図と平面図が示されている。板金の打ち抜き及び折り曲げにより形成されている連結具２０は、ドア枠２の厚さ方向に２個設けられた連結部２２と、これらの連結部２２の間に配置されているとともに、これらの連結部２２の上下面のうち、一方の面と連続していることにより、２個の連結部２２に架け渡されている架け渡し部２３とを有するものになっている。それぞれの連結部２２におけるドア枠２側の端部２２Ａは、架け渡し部２３からドア枠２側に突出しており、また、それぞれの連結部２２における補強部材７側の端部２２Ｂは、架け渡し部２３から補強部材７側に突出している。また、それぞれのドア枠２側の端部２２Ａには、図５で示したピン状の被係止部材２１を内部に挿通させるための挿通部となっている孔２４が形成されており、それぞれの補強部材７側の端部２２Ｂには、図５で示したドリルねじ３０によりこれらの端部２３Ｂを下地部材８に結合するために結合部となっている孔２５が形成されている。
【００４３】
なお、丸孔である孔２４の内径は、ピン状の被係止部材２１の外径よりも大きいため、孔２４の内部に被係止部材２１を遊合状態で挿入できるようになっている。
【００４４】
プレート状となっている架け渡し部２３には、ドア枠２と補強部材７の間隔の方向に切り込まれた２個の切り込み部２６，２７が、架け渡し部２３におけるドア枠２の厚さ方向中央部に形成されている。これらの切り込み部２６，２７のうち、切り込み部２６は、架け渡し部２３におけるドア枠２側の端部２３Ａから補強部材７側へ切り込まれ、切り込み部２７は、架け渡し部２３における補強部材７側の端部２３Ｂからドア枠２側へ切り込まれている。そして、これらの切り込み部２６，２７の間は、架け渡し部２３における接続部２８となっており、このため、ドア枠２の厚さ方向に２個設けられている連結部２２は、架け渡し部２３に設けられているこの接続部２８により接続された状態となっている。
【００４５】
また、本実施形態に係る連結具２０では、図６（Ｂ）に示されているように、２個の連結部２２における補強部材７側の端部２２Ｂが、架け渡し部２３から補強部材７側へ突出するにしたがいドア枠２及び壁４の厚さ方向外側へ延びており、このため、これらの補強部材７側の端部２２Ｂは、架け渡し部２３からドア枠２及び壁４の厚さ方向外側へ拡開して延出している。
【００４６】
以上の形状及び構造となって形成されている本実施形態に係る連結具２０では、図６（Ｃ）に示されているように、２個の連結部２２における補強部材７側の端部２２Ｂにドア枠２の厚さ方向内側への荷重Ｗを作用させ、これにより、これらの端部２２Ｂをドア枠２及び壁４の厚さ方向内側へ移動させると、切り込み部２７が縮小して切り込み部２６が拡大することによる架け渡し部２３の弾性変形が生じるため、２個の連結部２２におけるドア枠２側の端部２２Ａが、接続部２８を中心にして荷重Ｗの作用方向とは反対側であるドア枠２及び壁４の厚さ方向外側へ拡開移動する回動運動を行うことになる。
【００４７】
また、図５で示したピン状の被係止部材２１は、例えば、表面に雄ねじが刻設されているボルト軸により形成されており、このため、この被係止部材２１の表面には凹凸部２１Ａが形成されている。
【００４８】
前述したように、図３で示したドア枠２の側枠部材２Ａ，２Ｂと上枠部材２Ｃのそれぞれに連結具２０Ａ〜２０Ｊを取り付ける作業は工場で行われ、この作業は、これらの連結具２０Ａ〜２０Ｊに設けられているそれぞれの連結部２２のドア枠２側の端部２２Ａに形成された図６の孔２４の内部に図５の被係止部材２１を挿通させた後に、被係止部材２１の長さ方向の両端部を固定支持させた支持部材１２をドア枠２の側枠部材２Ａ，２Ｂ、上枠部材２Ｃに溶接等で結合することにより行われる。この作業を行うと、連結具２０Ａ〜２０Ｊは、孔２４の箇所において、側枠部材２Ａ，２Ｂ、上枠部材２Ｃに配置されることになり、また、これらの連結具２０Ａ〜２０Ｊは、被係止部材２１を中心に回動自在となるとともに、ドア枠２の厚さ方向の長さ寸法を有している被係止部材２１に案内されてドア枠２の厚さ方向に移動可能となる。
【００４９】
このようにしてドア枠２に取り付けられた連結具２０Ａ〜２０Ｊは、ドア枠２と共に開き戸装置が施工設置される建物等の施工現場に搬送され、そして、ドア枠２は、図３に示されているように、開き戸装置が施工設置される箇所、言い換えると、図１及び図２で示した壁４の開口部４Ａの内側の箇所に配置される。
【００５０】
次いで、作業者は、それぞれの連結具２０Ａ〜２０Ｊを被係止部材２１を中心に回動させ、これにより、図７に示されているように、連結具２０Ａ〜２０Ｊに設けられている２個の連結部２２の補強部材７側の端部２２Ｂの間に補強部材７に取り付けられている下地部材８を挿入し、これらの端部２２Ｂに設けられている図６の孔２５に図７で示した２個のドリルねじ３０の先端を挿入した後に、これらのドリルねじ３０を回転させることにより、ドリルねじ３０がねじ込まれる雌ねじ孔を下地部材８にドリルねじ３０自身で形成して、端部２２Ｂをドリルねじ３０で下地部材８に結合する。これにより、開き戸装置側建材であるドア枠２は、躯体側建材となっている補強部材７に下地部材８を介して連結具２０Ａ〜２０Ｊにより連結されることになる。
【００５１】
本実施形態では、以上の作業が、連結具２０Ａ〜２０Ｊに設けられている２個の連結部２２のドア枠２側の端部２２Ａに形成されている孔２４が、被係止部材２１を挿通させるための挿通部となって行われ、また、連結具２０Ａ〜２０Ｊに設けられている２個の連結部２２の補強部材７側の端部２２Ｂに形成されている孔２５が、ドリルねじ３０により下地部材８に結合されるための結合部となって行われ、さらに、ドリルねじ３０が、この結合部を躯体側建材となっている下地部材８に結合するための結合具となって行われている。
【００５２】
また、連結具２０Ａ〜２０Ｊに設けられている２個の連結部２２の補強部材７側の端部２２Ｂは、図６（Ｂ）で示したように、架け渡し部２３からドア枠２の厚さ方向外側へ拡開して延出しているため、これらの端部２２Ｂをドリルねじ３０により下地部材８に結合する際に、これらの端部２２Ｂは、言い換えると、これらの端部２２Ｂに上述の結合部として設けられている孔２５は、下地部材８に当接するまでこの下地部材８に対しドア枠２及び壁４の厚さ方向内側に移動することになり、この移動により下地部材８に当接した後に、端部２２Ｂはドリルねじ３０により下地部材８に結合されることになる。
【００５３】
そして、このように２個の連結部２２の補強部材７側の端部２２Ｂが下地部材８に当接するまでドア枠２及び壁４の厚さ方向内側に移動すると、図６（Ｃ）の説明から分かるように、連結具２０Ａ〜２０Ｊに設けられている２個の連結部２２のドア枠２側の端部２２Ａは、切り込み部２６，２７が形成されている架け渡し部２３の弾性変形により、前述の接続部２８を中心にして端部２２Ｂの移動方向とは反対側であるドア枠２及び壁４の厚さ方向外側へ拡開移動する回動運動を行うことになる。このため、これらの端部２２Ａは、これらの端部２２Ａに設けられている孔２４が被係止部材２１に対して動く移動を行い、この移動は、孔２４が接続部２８を中心に回動運動することにより生ずるため、２個の端部２２Ａ及びこれらの端部２２Ａに設けられている孔２４は、被係止部材２１の長さ方向に対して傾き角度を有する方向に移動し、したがって、これらの端部２２Ａや孔２４は、被係止部材２１の長さ寸法の方向となっているドア枠２及び壁４の厚さ方向の成分を有する方向に移動することになる。
【００５４】
図５には、以上のようにして２個のドリルねじ３０で２個の端部２２Ｂが下地部材８に結合されたときの連結具２０Ａ〜２０Ｊのうち、連結具２０Ｃが示されている。また、図８には、このときの連結具２０Ａ〜２０Ｊにおける２個の連結部２２の端部２２Ａに形成されている孔２４と被係止部材２１との関係が平断面として示されている。上述のように端部２２Ａや孔２４は、ドア枠２及び壁４の厚さ方向である被係止部材２１の長さ方向に対して傾き角度を有する方向に移動するため、言い換えると、被係止部材２１に対し斜めに移動するため、孔２４の内周面角部２４Ａ，２４Ｂは被係止部材２１の表面に角度をなして係止することになる。特に本実施形態では、前述したように被係止部材２１の表面には凹凸部２１Ａが形成されているため、これらの凹凸部２１Ａの引っ掛かり作用により、孔２４の内周面角部２４Ａ，２４Ｂは被係止部材２１の表面に一層確実に係止することになる。
【００５５】
このため、被係止部材２１が内部に挿通された挿通部となっている孔２４は、被係止部材２１に係止するために連結具２０Ａ〜２０Ｊに設けられた本実施形態における係止部となっており、孔２４の内周面角部２４Ａ，２４Ｂが被係止部材２１の表面の凹凸部２１Ａに係止した後は、この係止部による被係止部材２１に対する係止作用により、連結具２０Ａ〜２０Ｊは被係止部材２１に沿って移動することができないため、間隔をあけて配置されているドア枠２と補強部材７及び下地部材８は、これらのドア枠２と補強部材７及び下地部材８との間隔の方向と直交する方向になっているドア枠２及び壁４の厚さ方向に不動状態となって連結具２０Ａ〜２０Ｊにより連結されることになる。
【００５６】
そして、本実施形態によると、連結具２０Ａ〜２０Ｊのそれぞれの連結部２２における２個の補強部材７側の端部２２Ｂをドリルねじ３０によりドア枠２及び壁４の厚さ方向内側に移動させた後に、これらの端部２２Ｂを下地部材８に結合すると、連結具２０Ａ〜２０Ｊのそれぞれの連結部２２における２個のドア枠２側の端部２２Ａは、自ずとドア枠２及び壁４の厚さ方向外側への移動であって、被係止部材２１の長さ方向の成分を有する方向への移動を行って、これらの端部２２Ａに設けられた孔２４の内周面角部２４Ａ，２４Ｂが被係止部材２１に係止することになり、これにより、連結具２０Ａ〜２０Ｊによってドア枠２と補強部材７及び下地部材８とが連結されるため、この連結作業を溶接のための火気を用いることなく、容易に行える。
【００５７】
また、本実施形態では、図３に示されているように、ドア枠２と補強部材７及び下地部材８との間には、複数の連結具２０Ａ〜２０Ｊが配置されており、これらの連結具２０Ａ〜２０Ｊのうち、連結具２０Ａ〜２０Ｄ，２０Ｇ〜２０Ｊは、ドア枠２と補強部材７及び下地部材８との間隔の方向と、ドア枠２及び壁４の厚さ方向との両方の方向に直交している方向になっている上下方向に配置されており、これらの連結具２０Ａ〜２０Ｄ，２０Ｇ〜２０Ｊのうち、連結具２０Ａ，２０Ｂ，２０Ｇ，２０Ｈと、連結具２０Ｃ，２０Ｄ，２０Ｉ，２０Ｊでは、ドア枠２と補強部材７及び下地部材８との間隔の方向である左右方向に対して傾斜している方向が互いに逆となっている。このため、ドア枠２は、ドア枠２の左右の側枠部材２Ａ，２Ｂと左右方向に対向して配置されている補強部材７及び下地部材８に対して、上下方向にも不動状態となって連結されている。
【００５８】
なお、連結具２０Ａ，２０Ｂ，２０Ｇ，２０Ｈは、架け渡し部２３を下向きにして用いられ、連結具２０Ｃ，２０Ｄ，２０Ｉ，２０Ｊは、図４に示されているように、架け渡し部２３を上向きにして用いられている。
【００５９】
さらに、図３に示されているように、ドア枠２の上枠部材２Ｃと、この上枠部材２Ｃと上下に対向している補強部材７及び下地部材８は、連結具２０Ｅ，２０Ｆにより連結されており、これらの連結具２０Ｅと連結具２０Ｆでは、上枠部材２Ｃと補強部材７及び下地部材８との間の間隔の方向である上下方向に対して傾斜している方向が互いに逆となっている。このため、ドア枠２は、左右方向にも不動状態となって補強部材７及び下地部材８に連結されていることになる。
【００６０】
また、前述したように連結具２０Ａ〜２０Ｊの２個の連結部２２における補強部材７側の端部２２Ｂを下地部材８に結合するための結合具は、ドリルねじ３０であり、このドリルねじ３０は、ドリルねじ３０自身によりドリルねじ３０がねじ込まれる雌ねじ孔を下地部材８に形成できるものであるため、それぞれの連結具２０Ａ〜２０Ｊを被係止部材２１を中心に任意の角度まで回動させた後に、端部２２Ｂを下地部材８にドリルねじ３０により結合することができる。このため、連結具２０Ａ〜２０Ｊのうち、連結具２０Ａ〜２０Ｄ及び連結具２０Ｇ〜２０Ｊの被係止部材２１を中心とする回動角度により、ドア枠２を配置する位置を左右方向に調整することができ、また、連結具２０Ｅ、２０Ｆの被係止部材２１を中心とする回動角度により、ドア枠２を配置する位置を上下方向に調整することができる。
【００６１】
さらに、前述したように下地部材８には、この下地部材８の配置位置を補強部材７におけるドア枠２の厚さ方向に位置決めできる位置決め部材１０が取り付けられているため、ドア枠２の配置位置をドア枠２の厚さ方向の所定位置にすることができる。
【００６２】
図９には連結具の別実施形態が示されている。この実施形態では、ドア枠２の側枠部材２Ａ，２Ｂと上枠部材２Ｃ（図９では側枠部材２Ａだけが示されている。）に取り付けられている支持部材１１２に２個のピン状の被係止部材２１の長さ方向両端部を固定支持させ、これらの被係止部材２１を、２個の連結具２０のそれぞれの連結部２２におけるドア枠２側の端部２２Ａに形成されている孔２４の内部に挿通させ、かつこれらの連結具２０を、ドア枠２と補強部材７及び下地部材８との間隔の方向に対して傾斜させている方向を互いに逆にしてドア枠２と補強部材７及び下地部材８との間に配置している。
【００６３】
この実施形態によると、ドア枠２と補強部材７及び下地部材８との間隔の方向に対して傾斜している方向が互いに逆になっている連結具２０を、２個で一組をなすものとして管理し、取り扱うことができるようになり、これらの連結具２０についての工場や開き戸施工設置現場等での管理及び取り扱いの容易化を図ることができる。
【００６４】
以上説明したそれぞれの実施形態では、下地部材８は補強部材７よりも短寸法のものとなっていたが、この下地部材を、補強部材７と同様に、長寸法の通しの部材としてもよい。また、位置決め部材１０を省略してもよい。
【産業上の利用可能性】
【００６５】
本発明は、例えば、開き戸装置や引き戸装置等の装置側建材となっているドア枠等の開口枠を躯体に配置する際に、この開口枠と躯体側建材を連結するために利用することができる。
【符号の説明】
【００６６】
１  開き戸
２  開き戸装置側の建材であるドア枠
２Ａ，２Ｂ  ドア枠の側枠部材
２Ｃ  ドア枠の上枠部材
４  躯体である壁
７  躯体側建材である補強部材
８  躯体側建材である下地部材
２０  連結具
２０Ａ〜２０Ｊ  連結具
２１  被係止部材
２１Ａ  凹凸部
２２  連結部
２３  架け渡し部
２４  係止部であって挿通部にもなっている孔
２４Ａ，２４Ｂ  内周面角部
２５  結合部である孔
２６，２７  切り込み部
３０  結合具であるドリルねじ
【図１】
2019070285.tif 000003
【図２】
2019070285.tif 000004
【図３】
2019070285.tif 000005
【図４】
2019070285.tif 000006
【図５】
2019070285.tif 000007
【図６】
2019070285.tif 000008
【図７】
2019070285.tif 000009
【図８】
2019070285.tif 000010
【図９】
2019070285.tif 000011